(57)【要約】【課題】簡易な作業で、迅速かつ容易にアンテナ構造体を製造することができるアンテナ構造体の製造方法およびアンテナ構造体を提供する。  【解決手段】機器ケース内に配置されるアンテナ構造体の製造方法等に関する。多角柱状の磁性薄体巻き付け部材２０の外周に磁性薄体２２を複数回に亘り巻き付け、この巻き付けた磁性薄体２２を磁性薄体巻き付け部材２０から取り外したあと、この取り出した磁性薄体２２のうち、互いに対向する一対の山部２２Ｙ、２２Ｙの位置Ｓ２、Ｓ２または折曲部２２Ｍ，２２Ｍの位置Ｓ１、Ｓ１で切断し、互いに分離した複数のアンテナコア７１、７１を形成し、この形成されたアンテナコア７１、７１のうちの直線部２２Ｔ、２２Ｔに巻き線を施してコイル７２、７２を形成することによりアンテナ構造体７、７を製造する。【選択図】図６
2013172234.tif 000002
【特許請求の範囲】
【請求項１】
機器ケース内に配置されるアンテナ構造体を製造するためのアンテナ構造体製造方法において、
磁性薄体巻き付け部材の多角柱状突出部の外周に磁性薄体を複数回に亘り巻き付ける巻き付け工程と、
この巻き付け工程により巻き付けた磁性薄体を前記磁性薄体巻き付け部材から取り外したあと、この取り出した磁性薄体を予め定められた位置で切断し、互いに分離した複数のアンテナコアを形成するコア形成工程と、
このコア形成工程により形成されたアンテナコアのうちの直線部に巻き線を施してコイルを形成するコイル形成工程と、
を備えたことを特徴とするアンテナ構造体製造方法。
【請求項２】
機器ケース内に配置されるアンテナ構造体を製造するためのアンテナ構造体製造方法において、
多角柱状の磁性薄体巻き付け部材の外周に磁性薄体を複数回に亘り巻き付ける巻き付け工程と、
この巻き付け工程により巻き付けた磁性薄体を前記磁性薄体巻き付け部材から取り外したあと、この取り出した筒状の磁性薄体のうち、軸長手方向に沿って、予め定められている間隔を置いて、輪切り形状に切断する切断工程と、
この切断工程により輪切り形状に切断された磁性薄体を予め定められた位置で切断し、互いに分離した複数のアンテナコアを形成するコア形成工程と、
このコア形成工程により形成されたアンテナコアのうちの前記直線部に巻き線を施してコイルを形成するコイル形成工程と、
を備えたことを特徴とするアンテナ構造体製造方法。
【請求項３】
前記予め定められた位置で切断は、前記取り出した磁性薄体のうち、互いに対向する一対の第１および第２の各直線部の端部から折曲して形成されている折曲部の位置と、互いに対向する一対の山部の位置とのいずれかの位置で切断することを特徴とする請求項１または請求項２に記載のアンテナ構造体製造方法。
【請求項４】
前記多角柱状は、六角形の形状であり、前記複数のアンテナコアは、２つのアンテナコアであることを特徴とする請求項１から請求項３のいずれかに記載のアンテナ構造体製造方法。
【発明の詳細な説明】
【技術分野】
【０００１】
本発明は、アンテナ構造体の製造方法に関するものである。
【背景技術】
【０００２】
従来、時刻情報を含む標準電波を受信するアンテナ構造体を備え、自動的に現在時刻を修正する電波時計等の電子機器が知られている。そして、例えば電波時計において標準電波を受信するアンテナ構造体としては、受信感度のよい磁性材料であるアモルファス金属やフェライト等からなるコアにコイルが巻回されてなるアンテナ構造体を備えるものが多く用いられている。
アンテナ構造体は、コアの長さが長く電波受信面積が大きいほど受信感度が向上する。しかし、特に腕時計型の電波時計のような小型の電子機器に組み込む場合には、アンテナ構造体の収納スペースに限界があるため、小型のアンテナ構造体を用いる必要がある。
【０００３】
そこで、アンテナ構造体を小型化した場合でも受信感度を向上させる構成として、アモルファス薄膜等の板状部材を複数積層してコアを形成する構成が提案されている。
【０００４】
しかしながら、こうした従来のアンテナ構造体の場合、コアを構成している複数の板状部材を、回路基板および時計モジュール部材の厚み方向に積み重ねた構成となっている。このため、アンテナ構造体を回路基板の側端の外側に形成された直線部に沿って配置した場合、各板状部材の水平方向の板幅分、余計に広いスペースを必要としていた。この結果、例えば時計ケース等、小型の電子機器の本体ケースの限られた空間内にアンテナ構造体を効率よく配置することができず、アンテナ構造体を収納するための広いスペースを確保しなければならない。
【０００５】
この点、例えば腕時計等の電子機器が表示手段として液晶パネルを備える場合には、その視認性を向上させるとともに、時刻、日付、曜日等の様々な情報を表示させることができるように、液晶パネルの表示面積をできるだけ大きくすることが好ましい。
しかし、アンテナ構造体を収納するために広いスペースを必要とすると、その分、液晶パネルの大きさを小さくするか、時計ケース自体を大きくする必要があり、表示面積の拡大と電子機器の小型化とを両立させることが困難であるという問題がある。
【０００６】
そこで、本件発明者等は、円盤状の時計モジュール部材の厚み方向と直交する横断方向に複数の磁性薄体を重畳した構成のアンテナ構造体を出願している（例えば、特許文献１、特許文献２）。
これらのアンテナ構造体によれば、円盤状の時計モジュール部材の外周と筒状の時計モジュールの内周との間に配置することができるので、電波受信感度の向上を図りながら薄型かつ小型な電子腕時計を実現することができる。
【先行技術文献】
【特許文献】
【０００７】
【特許文献１】特開２０１０−１７７７４７号公報
【特許文献２】特開２０１０−２７３２３１号公報
【発明の概要】
【発明が解決しようとする課題】
【０００８】
しかしながら、このアンテナ構造体の場合、中央部を直線状とし、かつ、両端部を内側に弧状に折り曲げた同じ形状の複数の磁性薄体を別々に形成した上で、これら複数の磁性薄体を重畳し、この重畳した複数の磁性薄体のうちの直線状の中央部に巻き線を施してコイルを形成して製造するようにしているために、別々に形成した複数の磁性薄体を互いに揃えて保持した状態のもとで、それの中央部に巻き線を施さなければならず、製造作業に時間を要するという問題があった。
【０００９】
本発明は以上のような事情に鑑みてなされたものであり、迅速かつ容易に製造することができ、大幅に安価なアンテナ構造体を製造することができるアンテナ構造体の製造方法を提供することを目的とするものである。
【課題を解決するための手段】
【００１０】
前記課題を解決するために、請求項１に記載のアンテナ構造体の製造方法は、
機器ケース内に配置されるアンテナ構造体を製造するためのアンテナ構造体製造方法において、
磁性薄体巻き付け部材の多角柱状突出部の外周に磁性薄体を複数回に亘り巻き付ける巻き付け工程と、
この巻き付け工程により巻き付けた磁性薄体を前記磁性薄体巻き付け部材から取り外したあと、この取り出した磁性薄体を予め定められた位置で切断し、互いに分離した複数のアンテナコアを形成するコア形成工程と、
このコア形成工程により形成されたアンテナコアのうちの直線部に巻き線を施してコイルを形成するコイル形成工程と、
を備えたことを特徴とする。
【００１１】
また、請求項２に記載のアンテナ構造体の製造方法は、
機器ケース内に配置されるアンテナ構造体を製造するためのアンテナ構造体製造方法において、
多角柱状の磁性薄体巻き付け部材の外周に磁性薄体を複数回に亘り巻き付ける巻き付け工程と、
この巻き付け工程により巻き付けた磁性薄体を前記磁性薄体巻き付け部材から取り外したあと、この取り出した筒状の磁性薄体のうち、軸長手方向に沿って、予め定められている間隔を置いて、輪切り形状に切断する切断工程と、
この切断工程により輪切り形状に切断された磁性薄体を予め定められた位置で切断し、互いに分離した複数のアンテナコアを形成するコア形成工程と、
このコア形成工程により形成されたアンテナコアのうちの前記直線部に巻き線を施してコイルを形成するコイル形成工程と、
を備えたことを特徴とする。
【００１２】
また、請求項３に記載のアンテナ構造体の製造方法は、請求項１または請求項２に記載のアンテナ構造体製造方法において、前記予め定められた位置で切断は、前記取り出した磁性薄体のうち、互いに対向する一対の第１および第２の各直線部の端部から折曲して形成されている折曲部の位置と、互いに対向する一対の山部の位置とのいずれかの位置で切断することを特徴とする。
また、請求項４に記載のアンテナ構造体の製造方法は請求項１から請求項３のいずれかに記載のアンテナ構造体製造方法において、前記多角柱状は、六角形の形状であり、前記複数のアンテナコアは、２つのアンテナコアであることを特徴とする。
【発明の効果】
【００１３】
この発明によれば、簡単な作業で、迅速かつ容易にアンテナ構造体を製造することができる。
【図面の簡単な説明】
【００１４】
【図１】本発明に係るアンテナ構造体の製造方法で製造されたアンテナ構造体を組み込んだ電波腕時計の概略構成を示す正面図である。
【図２】図１に示す電波腕時計のII―II線断面図である。
【図３】図１に示す電波腕時計の内部構成を示す分解斜視図である。
【図４】図３に示す電波腕時計に設けられるアンテナ構造体の構成を示す分解斜視図である。
【図５】本発明に係るアンテナ構造体の製造方法の工程を示し、（Ａ）（Ｂ）および（Ｃ）はその製造方法の前半の工程を示す図である。
【図６】（Ａ）（Ｂ）および（Ｃ）は後半の工程を示す工程図である。
【図７】（Ａ）〜（Ｇ）は本発明に係るアンテナ構造体の製造方法の他の工程を示す図である。
【発明を実施するための形態】
【００１５】
以下、図面を参照しつつ、本発明に係るアンテナ構造体の製造方法の好適な実施形態について具体的に説明する。
【００１６】
図１から図４を参照しつつ、本発明に係るアンテナ構造体の製造方法で製造されたアンテナ構造体を組み込んだ電波腕時計の一実施形態をまず説明する。なお、本実施形態では、電子機器がアンテナ構造体を搭載した電波腕時計である場合を例として説明する。
【００１７】
図１は、電波腕時計を示す正面図である。また、図２は、図１のII−II線断面図であり、図３は、図１の電波腕時計の内部構成を示す分解斜視図である。
【００１８】
図３に示すように、電波腕時計１００には、短柱形状に形成された本体ケース（以下「時計ケース１」という。）が設けられている。時計ケース１は、ステンレスやチタン等の金属その他の導電性部材で形成されている。
時計ケース１の内側は上下が開口した中空状になっており、この中空部分が各種部品を収納する収納空間を与える収納部となる。
【００１９】
この時計ケース１の図１における上下両端部には、バンド取付部１２が形成されており、各バンド取付部１２には図示しない時計バンドが取り付けられるようになっている。
また、時計ケース１の外周部には、時刻合わせの指示などの種々の操作指示が入力される複数の操作ボタン１３が設けられている。
また、図２、図３に示すように、時計ケース１の内側には、時計ケース１内部の部材ががたつくのを抑えるとともに外部からの衝撃を吸収するために、内周壁に沿って、中枠部材１６が設けられている。
【００２０】
図２に示すように、この時計ケース１の視認側（表面側：図２における上側）には、視認側の開口部を閉塞するように非導電性の透明材料であるガラスで形成された透明部材としての時計ガラス部材３が防水リング１４を介して装着されている。
時計ガラス部材３の下方には、後述する液晶パネル５による表示に対応した枠部を有する文字板１８が設けられている。
また、時計ガラス部材３と文字板１８との間には、薄膜状のソーラーセル１７が配置されている。
【００２１】
また、時計ケース１の視認側とは反対側（裏面側：図２における下側）には、図２に示すように、当該時計ケース１の下側の開口部を閉塞する閉塞部材としての裏蓋部材２が防水リング１５を介して取り付けられている。裏蓋部材２は、例えばステンレスやチタン等の金属その他の導電性部材で形成されている。
【００２２】
また、この時計ケース１の内部には、各種電子部品を搭載する回路基板６と、回路基板６の上側（視認側）に積層された液晶パネル５と、回路基板６に電気的に接続されたアンテナ構造体７とが設けられている。
液晶パネル５、回路基板６及びアンテナ構造体７は、モジュールケース（モジュール部材）内に収納・保持されて時計ケース１の内部に配置されている。このモジュールケースは、例えば樹脂等の非金属材料で形成されており、第１モジュール部材４１と第２モジュール部材４２とによって構成されている。
【００２３】
第１モジュール部材４１は、時計ケース１の視認側に位置する枠状の部材であり、液晶パネル５が嵌め込まれる開口部４１ａ（図３参照）が形成されている。液晶パネル５は、回路基板６の上に積層された状態でこの開口部４１ａに嵌め込まれ、表示領域（図１および図２参照）が文字板１８の側に露出するようになっている。
第２モジュール部材４２は、時計ケース１の裏面側に位置する皿状の部材であり、図示しないバッテリの収納部等を備えている。
【００２４】
第１モジュール部材４１と第２モジュール部材４２とは互いに嵌り合う構造となっており、一体としてモジュールケースを形成するようになっている。
また、第１モジュール部材４１及び第２モジュール部材４２には、モジュールケースを時計ケース１内に収納した際に、図１における上側となる外周端に、アンテナ構造体７を支持するアンテナ支持部（図示せず）がそれぞれ設けられている。
【００２５】
第１モジュール部材４１と第２モジュール部材４２とにより構成されるモジュールケースの内部には、液晶パネル５と回路基板６とが積層されて配置されており、液晶パネル５及び回路基板６は、第１モジュール部材４１と第２モジュール部材４２とによって、上部と下部から挟み込まれて保持されるようになっている。
【００２６】
第１モジュール部材４１及び第２モジュール部材４２は、間に液晶パネル５及び回路基板６を挟み込んだ状態で、回路押え部材８によって固定され、さらに、モジュール押え部材９（図２参照）によって電波腕時計１００の裏面側から支持されて、時計ケース１内に固定されている。
なお、回路押え部材８及びモジュール押え部材９は必須の構成要素ではなく、例えば、回路押え部材８及びモジュール押え部材９を設けずに、係止手段等で一体化されたモジュールケースを裏蓋部材５によって支持するようにしてもよい。
【００２７】
液晶パネル５は、例えば２枚のガラス板の間に液晶状態の物質を封入してなる液晶基板５１と、この液晶基板５１を図２における上下方向から挟むように設けられた一対の偏光板５２と、液晶基板５１及び偏光板５２の下方に配置されたバックライト５３とを備えている。バックライト５３は、例えばＥＬ（electro-luminescence）素子等を備えて構成されている。なお、液晶パネル５の構成、形状等は特に限定されない。
液晶パネル５の側部一端であって、液晶パネル５をモジュールケース内に収納した際に前記アンテナ支持部に対向する辺部は、直線部５ａ（図２参照）となっている。
【００２８】
本実施形態において、回路基板６は、図３、図４に示すように、ほぼ円盤状に形成されている。回路基板６の側部一端であって、回路基板６をモジュールケース内に収納した際に前記アンテナ支持部に対応する部分には、切欠き部である直線部６ａ（図３参照）が形成されている。
【００２９】
アンテナ構造体７は、液晶パネル５の直線部５ａ及び回路基板６の直線部６ａの各側端の外側位置に、当該直線部５ａ，６ａに沿って配置されている（図２参照）。
このように液晶パネル５及び回路基板６の各直線部５ａ，６ａに沿って、液晶パネル５及び回路基板６の積層方向と直交する方向に積層された複数の板状部材７１ａからなるコア７１を備えたアンテナ構造体７を配置することにより、液晶パネル５及び回路基板６の水平面方向のスペースの無駄をなくしてアンテナ構造体７をコンパクトに収納することができる。
【００３０】
回路基板６における裏面側の面であって前記直線部６ａの近傍の一端側には、アンテナ構造体７のリード部材７７を係止するための一対の係止用端子６１が設けられている。
また、回路基板６における視認側の面であって前記直線部６ａの近傍には、直線部６ａに沿って複数の液晶パネル用端子が設けられている。
また、回路基板６には、例えば、電波腕時計１００の各部を制御するＣＰＵ等の制御ＩＣ、アンテナ構造体７によって検出された電気信号を増幅・復調して標準電波に含まれる時刻データを取り出す受信回路、発振器を有して現在時刻を計時する計時回路等（いずれも図示せず）の各種電子部品が搭載されている。
【００３１】
ここで、図４を参照しつつ、本実施形態におけるアンテナ構造体７について、具体的に説明する。
図４は、アンテナ構造体７の分解斜視図である。
【００３２】
図４に示すように、本実施形態におけるアンテナ構造体７は、長尺なコア７１とこれに巻回されたコイル７２とを備えており、コア７１に電波が透過すると、コイル７２に誘起電流が発生するように構成されている。
【００３３】
コア７１は、回路基板６と液晶パネル５との積層方向と直交する方向に積層された複数の板状部材７１ａ、７１ａから形成されている。コア７１を構成する板状部材７１ａの数等は特に限定されない。なお、複数の板状部材７１ａは、積層状態を維持できるように接着剤等により互いに固定されていることが好ましい。
【００３４】
各板状部材７１ａは、フェライト、アモルファス金属または固めたパーマロイからなり、透磁率（magnetic permeability）（磁場または磁界の強さ H と磁束密度 B との間の関係を B = μ H で表わした時の比例定数 μをいう）または比透磁率（真空の透磁率 μ0 との比 μs=μ/μ0 をいう）が高い磁性材料により形成されている。各板状部材７１ａの厚さは、例えば、１０μｍであるが、それより厚くても薄くてもよい。
なお、コア７１を形成する材料は、アモルファス合金に限定されず、薄い板状に形成可能な磁性材料であれば適用可能である。
【００３５】
図４に示すように、コア７１の中央部は、直線状に形成されており、コイル７２を巻回する巻線部となっている。また、コイル７２の両端から突出したコア７１の両端部は、第１モジュール部材４１及び第２モジュール部材４２の外周面に沿う形状に曲折している。
【００３６】
本実施形態において、アンテナ構造体７は、コア７１を保持するコアケース７３（図３参照）を備えている。
図４に示すように、コアケース７３は、コア７１の両端部を被覆する一対の第１ケース部材７４ａ，７４ｂと、コイル７２の巻回された巻線部を被覆する第２ケース部材７５とを備えており、樹脂等により形成されている。
【００３７】
第１ケース部材７４ａ，７４ｂは、例えば樹脂等により互いに接続された状態で一体成型されることが好ましい。
【００３８】
第１ケース部材７４ａ，７４ｂには、アンテナ構造体７を時計ケース１内に収納した際に裏面側となる面に、一対のリード部材７７が載置されるようになっており、リード部材７７を載置するためのリード受け凹部７４３とリード部材７７の係止用孔部７７１と係合する係止用凸部７４１とが設けられている。
また、第１ケース部材７４ａ，７４ｂは、アンテナ構造体７を時計ケース１内に収納した際に視認側となる側に、コア７１が挿入されるコア挿入溝部７４２（図４参照）が形成されている。
さらに、第１ケース部材７４ａ，７４ｂにおけるコイル７２に対向する面には第２ケース部材７５と係合する係合部７４４が設けられている。
【００３９】
なお、図４に示すように、本実施形態では、第１ケース部材７４ａの側にリード部材７７を載置する例を示しているが、回路基板６のパターン構成等によっては、第１ケース部材７４ｂの側にリード部材７７を載置してもよい。
また、本実施形態においては、一対の第１ケース部材７４ａ，７４ｂの両方にリード受け凹部７４３及び係止用凸部７４１を形成し、回路基板６のパターン構成等に応じていずれの側にもリード部材７７を接続することのできる構成としたが、リード受け凹部７４３及び係止用凸部７４１は、一対の第１ケース部材７４ａ，７４ｂのうちのいずれか一方のみに設けられていてもよい。
【００４０】
第１ケース部材７４ａに搭載される一対のリード部材７７は、リード受け凹部７４３に嵌め込まれ、係止用孔部７７１を係止用凸部７４１と係合させることによって第１ケース部材７４ａ上に固定される。なお、リード部材７７は、さらに接着剤等により固定されていてもよい。
【００４１】
リード部材７７は、それぞれ一端側にコイル７２の端部が接続される巻線接続部７７２を備えており、リード部材７７の他端側は回路基板６上のアンテナ用端子に半田付け等により接続されるようになっている。
これにより、コイル７２の端部がリード部材７７の巻線接続部７７２に接続されると、このリード部材７７を介してアンテナ構造体７が回路基板６上に設けられたアンテナ用端子と電気的に接続され、アンテナ構造体７により得られた信号が回路基板６上の受信回路に送られる。
【００４２】
図２に示すように、本実施形態においては、アンテナ構造体７は、リード部材７７によって回路基板６に固定されており、リード部材７７はアンテナ構造体７を回路基板６に保持する保持部材を兼ねている。
【００４３】
第２ケース部材７５は、コイル７２の巻回された巻線部とほぼ同じ長さを有するコ字状の部材であり、底面部に長手方向に延在する底面側開口部７５１を有している。底面部の幅寸法は巻線部の厚みよりも僅かに大きく形成されており、底面部から立設された一対の側壁部７５２の間に巻線部を挟み込むようにして、第１ケース部材７４ａ，７４ｂとは反対の側（すなわち、アンテナ構造体７を時計ケース１内に収納した際の視認側）から巻線部を被覆するようになっている。第２ケース部材７５の両側面は側面側開口部７５３となっており、この側面側開口部７５３に第１ケース部材７４ａ，７４ｂの係合部７４４がそれぞれ係合するようになっている。
【００４４】
次に、図５および図６を参照しつつ、本発明に係るアンテナ構造体の製造方法の工程について具体的に説明する。
まず、図５（Ａ）に示すように、磁性薄体巻き付け部材２０を用意する。この磁性薄体巻き付け部材２０は、六角柱状突出部２１を備えているので、図５（Ｂ）に示すように、この六角柱状突出部２１の外周に、長尺な磁性薄体２２を複数回に亘り巻き付ける。この工程を磁性薄体巻き付け工程と称する。図５（Ｃ）は、この磁性薄体巻き付け工程により磁性薄体２２が磁性薄体巻き付け部材２０の六角柱状突出部２１の外周に複数回に亘り巻き付けられた状態を示す。
この磁性薄体巻き付け工程の際に、巻き付けられる磁性薄体２２の間に、接着剤を介在させて、隣り合う各磁性薄体２２同士を固定するようにしても良い。
【００４５】
次に、図６（Ａ）に示すように、この磁性薄体巻き付け工程により巻き付けられた磁性薄体２２を磁性薄体巻き付け部材２０の六角柱状突出部２１から取り外す。
次に、図６（Ｂ）に示すように、六角柱状突出部２１から取り出した磁性薄体２２のうち、互いに対向する一対の山部２２Ｙ、２２Ｙの位置Ｓ２、Ｓ２で２つに切断し、互いに分離した２つのアンテナコア７１を形成する。この工程をコア形成工程と称する。
なお、このコア形成工程は、互いに対向する一対の山部２２Ｙ、２２Ｙの位置Ｓ２、Ｓ２で切断する代わりに、予め定められた位置、例えば、互いに対向する一対の第１および第２の各直線部２２Ｔ、２２Ｔの端部から折曲して形成されている折曲部２２Ｍ、２２Ｍの位置Ｓ１、Ｓ１で切断し、分離した複数のアンテナコア（７１，７１）を形成する工程であってもよい。
また、巻回されたコイル７２を固定するために接着剤を含浸させる等の処理を施してもよい。この工程をコア形成工程により、複数の板状部材７１ａを積層し、かつ、両端部が曲折されているコア７１を形成することができる。
【００４６】
次に、この工程をコア形成工程により形成された２つのアンテナコア７１のうちの直線状の中央部にそれぞれ巻き線を施してコイル７２を形成する。この工程をコイル形成工程と称する。コイル形成工程により、図４に示すようなアンテナ構造体７を製造することができる。
このようにして製造されたアンテナ構造体７のコア７１の両端部に、第１ケース部材７４ａ，７４ｂが、それぞれ被せる。
【００４７】
次に、第１ケース部材７４ａにリード部材７７を取り付け、コイル７２の巻き始め及び巻き終わりの端部を、一対のリード部材７７の巻線接続部７７２にそれぞれ接続する。
さらに、第１ケース部材７４ａ，７４ｂの装着方向とは反対側から第２ケース部材７５をコイル７２の巻回部分に装着する。このとき、第１ケース部材７４ａ，７４ｂの係合部７４４が第２ケース部材７５の側面側開口部７５３にそれぞれ係合する。これにより、第１ケース部材７４ａ，７４ｂと第２ケース部材７５とが一体化される。
【００４８】
次に、アンテナ構造体７を液晶パネル５及び回路基板６の直線部５ａ，６ａに沿って配置する。そして、リード部材７７を回路基板６のアンテナ用端子に半田付け等により電気的に接続する。そして、アンテナ構造体７の接続された回路基板６に液晶パネル５を積層し、第１モジュール部材４１と第２モジュール部材４２との間に挟みこんで、第１モジュール部材４１と第２モジュール部材４２とを係合させるとともに、回路押え部材８により固定し、一体化させる。
【００４９】
ここで、本実施形態の構成によった場合と従来の電波腕時計との差異について説明する。
従来のアンテナ構造体では、コアを構成する複数の板状部材が回路基板、時計モジュール部材または液晶パネルの積層方向と同じ方向に積層されているため、アンテナ構造体を収納するために、各板状部材の水平方向の板幅分、広いスペースが必要となっていたため、液晶パネルの表示領域は、水平方向のスペースが限られてしまう。
これに対して、本実施形態の構成では、液晶パネル５及び回路基板６の各直線部５ａ，６ａに沿って、液晶パネル５及び回路基板６の積層方向と直交する方向に積層された複数の板状部材７１ａからなるコア７１を備えたアンテナ構造体７を配置したので、液晶パネル５及び回路基板６の水平面方向のスペースの無駄をなくしてアンテナ構造体７をコンパクトに収納することができる。このため、液晶パネル５の表示領域は、図２に示すように、従来のものと比較して、広くすることが可能となる。
【００５０】
回路基板６、液晶パネル５及びアンテナ構造体７をモジュールケースに収納すると、このモジュールケースを時計ケース１の中に収納し、裏面側からモジュール押え部材９で固定する。さらに、裏蓋部材２を時計ケース１の裏面側の開口部に嵌め込んで裏面側の開口部を閉塞する。これにより電波腕時計１００が完成する。
【００５１】
電波腕時計１００による標準電波受信時においては、電波の磁界成分が、電波を遮蔽しない材料によって形成された非導電性の部材である時計ガラス部材３、文字板１８等を透過して、アンテナ構造体７のコア７１に進入する。そして、コア７１の一方側からアンテナ構造体７に進入した磁束は、コア７１の他方側の端部へと通過する。この通過の際に、コア７１に巻回されたコイル７２に交流電流が誘導され（誘起電流）、これに伴ってコイル７２の両端に交流電圧が発生する。そして、この交流電圧がアナログ受信信号として図示しない受信回路に送られる。
そして、受信回路により、このアナログ受信信号について増幅、復調、デコード等の処理が行われ、デジタルの時刻データが取得される。電波腕時計１００は、取得された時刻データに基づいて、適宜現在時刻の修正を行う。
【００５２】
以上のように、本実施形態によれば、図５および図６に示す各工程を経てアンテナ構造体７を製造することができるので、迅速かつ容易にアンテナ構造体を製造することができる。
また、図５および図６に示す各工程を経て製造されたアンテナ構造体７のコア７１が、複数の板状部材７１ａを回路基板６と液晶パネル５との積層方向と直交する方向に重なるように積層して構成されており、この長尺なコア７１の中央部に、当該コア７１の長手方向と直交する方向にコイル７２を巻きつけた構成としているので、限られた空間内にコア７１等をコンパクトに装着することができる。
また、回路基板６とこれに積層された液晶パネル５の側部一端に直線部５ａ，６ａを形成して、アンテナ構造体７をこの直線部５ａ，６ａに一端側を接するように配置している。このため、回路基板６及び液晶パネル５とアンテナ構造体７とがモジュールケースからはみ出さずに横に並べて配置することができる。このため、液晶パネル５の表示領域を従来よりも広くすることができ、視認性の向上、及び各種の機能表示等、多様な表示に対応することができる。
【００５３】
また、複数の板状部材７１ａを積層した長尺なコア７１を備えているため、効率よく磁束を集めることが可能となり、受信感度が良好で、かつ小型の電波腕時計１００を実現することができる。
【００５４】
また、このような複数の板状部材７１ａを積層したコア７１を用いた場合でも、コア７１を保持するコアケース７３を備えているため、コア７１の端部が破損したり、回路基板６上の電子部品６３等と接触してショートしたりする等のおそれを回避することができる。
【００５５】
また、アンテナ構造体７は、リード部材７７のみで回路基板６と接続されており、このリード部材７がアンテナ構造体７を回路基板６に保持する保持部材を兼ねているため、別途アンテナ構造体７を固定するための部材を設ける必要がない。このため、部品点数を少なくして、コストを削減することができるとともに、組み立て工数を少なくして簡易に組み立てを行うことが可能となる。
【００５６】
また、第１モジュール部材４１と第２モジュール部材４２の外周端に、アンテナ構造体７を支持するアンテナ支持部４１１，４２２を設けて、このアンテナ支持部４１１，４２２でアンテナ構造体７を支えているので、アンテナ構造体７がリード部材７７のみで回路基板６と接続されているような場合でも、アンテナ構造体７のがたつきを抑え、安定させることができる。
【００５７】
次に、図７を参照しつつ、本発明に係るアンテナ構造体の製造方法の他の実施形態について具体的に説明する。
まず、図７（Ａ）に示すように、磁性薄体巻き付け部材２０Ａを用意する。この磁性薄体巻き付け部材２０Ａは、全体が六角柱状に形成されており、回転軸２３を回転中心として回転されるようになっているので、図７（Ｂ）に示すように、この六角柱状の磁性薄体巻き付け部材２０Ａを、回転軸２３を回転中心として回転し、その外周に、長尺な磁性薄体２２を複数回に亘り巻き付ける。この工程を磁性薄体巻き付け工程と称する。この磁性薄体巻き付け工程の際に、巻き付けられる磁性薄体２２の間に、接着剤を介在させて、隣り合う各磁性薄体２２同士を固定するようにしても良い。
図７（Ｃ）は、この磁性薄体巻き付け工程により磁性薄体２２が磁性薄体巻き付け部材２０Ａの外周に複数回に亘り巻き付けられた状態を示す。
【００５８】
次に、同図に示すように、この磁性薄体巻き付け工程により巻き付けられた磁性薄体２２を磁性薄体巻き付け部材２０Ａから取り外す。
次に、図７（Ｄ）に示すように、磁性薄体巻き付け部材２０Ａから取り出した磁性薄体２２Ａのうち、磁性薄体巻き付け部材２０Ａの軸方向に沿って、所定の間隔を置いて、輪切り形状に切断する。この工程を輪切り切断工程と称する。
次に、図７（Ｅ）に示すように、輪切り切断工程により輪切り切断された磁性薄体２２Ａのうち、互いに対向する一対の山部２２Ｙ、２２Ｙの位置Ｓ２で２つに切断し、互いに分離した２つのアンテナコア７１を形成する。この工程をコア形成工程と称する。
なお、このコア形成工程は、互いに対向する一対の山部２２Ｙ、２２Ｙの位置Ｓ２、Ｓ２で切断する代わりに、前述した図５および図６に示す実施の形態と同様、互いに対向する一対の第１および第２の各直線部２２Ｔ、２２Ｔの端部から折曲して形成されている折曲部２２Ｍ、２２Ｍの位置Ｓ１、Ｓ１で切断し、分離した複数のアンテナコア（７１，７１）を形成する工程であってもよい。
また、巻回されたコイル７２を固定するために接着剤を含浸させる等の処理を施してもよい。この工程をコア形成工程により、複数の板状部材７１ａを積層し、かつ、両端部が曲折されているコア７１を形成することができる。
【００５９】
次に、この工程をコア形成工程により形成された２つのアンテナコア７１のうちの直線状の中央部にそれぞれ巻き線を施してコイル７２を形成する。この工程をコイル形成工程と称する。コイル形成工程により、図４に示すようなアンテナ構造体７を製造することができる。
なお、本発明が上記各本実施形態に限らず適宜変更可能であるのは勿論である。
【００６０】
例えば、アンテナ構造体の製造方法により製造されたアンテナ構造体を電波腕時計である場合を例として示したが、アンテナ構造体により電波を受信する構成のものであれば如何なるものであってもよい。例えば、固定式の電波時計や、小型ラジオ、携帯端末等にアンテナ構造体を適用してもよい。
また、本実施形態では、多角柱状として、六角形の形状を例にし、かつ、複数のアンテナコアは、２つのアンテナコアを例にしているが、更に角数の多い多角柱状でもよく、複数のアンテナコアは、更に個数を増やした個数のアンテナコアであってもよい。このような場合は、アンテナ構造体を、更に安価で大量に生産することが可能となる。
【００６１】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
機器ケース内に配置されるアンテナ構造体を製造するためのアンテナ構造体製造方法において、
磁性薄体巻き付け部材の多角柱状突出部の外周に磁性薄体を複数回に亘り巻き付ける巻き付け工程と、
この巻き付け工程により巻き付けた磁性薄体を前記磁性薄体巻き付け部材から取り外したあと、この取り出した磁性薄体を予め定められた位置で切断し、互いに分離した複数のアンテナコアを形成するコア形成工程と、
このコア形成工程により形成されたアンテナコアのうちの直線部に巻き線を施してコイルを形成するコイル形成工程と、
を備えたことを特徴とするアンテナ構造体製造方法。
＜請求項２＞
機器ケース内に配置されるアンテナ構造体を製造するためのアンテナ構造体製造方法において、
多角柱状の磁性薄体巻き付け部材の外周に磁性薄体を複数回に亘り巻き付ける巻き付け工程と、
この巻き付け工程により巻き付けた磁性薄体を前記磁性薄体巻き付け部材から取り外したあと、この取り出した筒状の磁性薄体のうち、軸長手方向に沿って、予め定められている間隔を置いて、輪切り形状に切断する切断工程と、
この切断工程により輪切り形状に切断された磁性薄体を予め定められた位置で切断し、互いに分離した複数のアンテナコアを形成するコア形成工程と、
このコア形成工程により形成されたアンテナコアのうちの前記直線部に巻き線を施してコイルを形成するコイル形成工程と、
を備えたことを特徴とするアンテナ構造体製造方法。
＜請求項３＞
前記予め定められた位置で切断は、前記取り出した磁性薄体のうち、互いに対向する一対の第１および第２の各直線部の端部から折曲して形成されている折曲部の位置と、互いに対向する一対の山部の位置とのいずれかの位置で切断することを特徴とする請求項１または請求項２に記載のアンテナ構造体製造方法。
＜請求項４＞
前記多角柱状は、六角形の形状であり、前記複数のアンテナコアは、２つのアンテナコアであることを特徴とする請求項１から請求項３のいずれかに記載のアンテナ構造体製造方法。
【符号の説明】
【００６２】
１      時計ケース
６      回路基板
７      アンテナ構造体
１８    文字板
７１    コア
７２    コイル
１００  電波腕時計
【図１】
2013172234.tif 000003
【図２】
2013172234.tif 000004
【図３】
2013172234.tif 000005
【図４】
2013172234.tif 000006
【図５】
2013172234.tif 000007
【図６】
2013172234.tif 000008
【図７】
2013172234.tif 000009